(57)【要約】【課題】映像情報に基づいて映像を表示する表示装置において、キラキラとした光沢感を表現する。【解決手段】バックライト１２１とバックライト１２１の前面側に配置される複数の表示画素１２２とを有する映像表示部１２と、所定の映像情報に基づいて映像表示部１２を制御する映像表示制御プログラム１６３ｂ１を実行したＣＰＵ１６１と、を備えるＬＣＤ１において、金属光沢を持った所定の磁性粒子を内包する複数のセルがマトリックス状に配置され、各セルの内部に磁界を発生させることが可能な金属光沢表示部１４と、金属光沢表示部１４のセルの内部における磁界の発生を制御する金属光沢表示制御プログラム１６３ｂ２を実行したＣＰＵ１６１と、を備え、金属光沢表示部１４が、表示画素１２２の前面側或いは後面側に配置されるよう構成した。【選択図】図２
2008111944.tif 000002
【特許請求の範囲】
【請求項１】
バックライトと当該バックライトの前面側に配置される複数の表示ユニットとを有する映像表示部と、所定の映像情報に基づいて当該映像表示部を制御する映像表示制御手段と、を備える表示装置において、
金属光沢を持った所定の磁性粒子を内包する複数のセルがマトリックス状に配置され、前記各セルの内部に磁界を発生させることが可能な金属光沢表示部と、
前記金属光沢表示部の前記セルの内部における磁界の発生を制御する金属光沢表示制御手段と、
前記所定の映像情報と、当該所定の映像情報に対応し、磁界の発生制御を行うセルに関する金属光沢情報と、を記憶する記憶手段と、
を備え、
前記映像表示制御手段は、前記記憶手段に記憶された所定の映像情報に基づいて、前記映像表示部を制御し、
前記金属光沢表示部が、前記表示ユニットの前面側或いは後面側に配置されており、
前記セルは、電磁石を備え、
前記金属光沢表示制御手段は、前記映像表示制御手段による制御に同期して、前記記憶手段に記憶された金属光沢情報に基づいて、前記電磁石への通電のＯＮ／ＯＦＦを切り替える制御を行うことによって、前記金属光沢表示部の前記セルの内部における磁界の発生を制御することを特徴とする表示装置。
【請求項２】
発光する複数の表示ユニットを有する映像表示部と、所定の映像情報に基づいて当該映像表示部を制御する映像表示制御手段と、を備える表示装置において、
金属光沢を持った所定の磁性粒子を内包する複数のセルがマトリックス状に配置され、前記各セルの内部に磁界を発生させることが可能な金属光沢表示部と、
前記金属光沢表示部の前記セルの内部における磁界の発生を制御する金属光沢表示制御手段と、
前記所定の映像情報と、当該所定の映像情報に対応し、磁界の発生制御を行うセルに関する金属光沢情報と、を記憶する記憶手段と、
を備え、
前記映像表示制御手段は、前記記憶手段に記憶された所定の映像情報に基づいて、前記映像表示部を制御し、
前記金属光沢表示部が、前記表示ユニットの前面側に配置されており、
前記セルは、電磁石を備え、
前記金属光沢表示制御手段は、前記映像表示制御手段による制御に同期して、前記記憶手段に記憶された金属光沢情報に基づいて、前記電磁石への通電のＯＮ／ＯＦＦを切り替える制御を行うことによって、前記金属光沢表示部の前記セルの内部における磁界の発生を制御することを特徴とする表示装置。
【請求項３】
バックライトと当該バックライトの前面側に配置される複数の表示ユニットとを有する映像表示部と、所定の映像情報に基づいて当該映像表示部を制御する映像表示制御手段と、を備える表示装置において、
金属光沢を持った所定の磁性粒子を内包する複数のセルがマトリックス状に配置され、前記各セルの内部に磁界を発生させることが可能な金属光沢表示部と、
前記金属光沢表示部の前記セルの内部における磁界の発生を制御する金属光沢表示制御手段と、
を備え、
前記金属光沢表示部が、前記表示ユニットの前面側或いは後面側に配置されていることを特徴とする表示装置。
【請求項４】
発光する複数の表示ユニットを有する映像表示部と、所定の映像情報に基づいて当該映像表示部を制御する映像表示制御手段と、を備える表示装置において、
金属光沢を持った所定の磁性粒子を内包する複数のセルがマトリックス状に配置され、前記各セルの内部に磁界を発生させることが可能な金属光沢表示部と、
前記金属光沢表示部の前記セルの内部における磁界の発生を制御する金属光沢表示制御手段と、
を備え、
前記金属光沢表示部が、前記表示ユニットの前面側に配置されていることを特徴とする表示装置。
【請求項５】
請求項３又は４に記載の表示装置において、
前記所定の映像情報と、当該所定の映像情報に対応し、磁界の発生制御を行うセルに関する金属光沢情報と、を記憶する記憶手段を備え、
前記映像表示制御手段は、前記記憶手段に記憶された所定の映像情報に基づいて、前記映像表示部を制御し、
前記金属光沢表示制御手段は、前記映像表示制御手段による制御に同期して、前記記憶手段に記憶された金属光沢情報に基づいて、前記金属光沢表示部の前記セルの内部における磁界の発生を制御することを特徴とする表示装置。
【請求項６】
請求項３〜５の何れか一項に記載の表示装置において、
前記セルは、電磁石を備え、
前記金属光沢表示制御手段は、前記電磁石への通電のＯＮ／ＯＦＦを切り替える制御を行うことを特徴とする表示装置。
【発明の詳細な説明】
【技術分野】
【０００１】
本発明は、表示装置に関する。
【背景技術】
【０００２】
従来、マイクロカプセル方式の磁気シートにより構成され、黒板のように書き消しすることができる磁気表示装置において、筆跡を金属光沢色にて表現することができる磁気表示装置や（例えば、特許文献１，２参照）、地色が金属光沢色の磁気表示装置（例えば、特許文献３参照）などが提案されている。
【０００３】
また、電界配列性粒子を透明な電気絶縁性媒体の中に含有してなる電気感応型光機能性流体組成物を一対の対向する透明電極板の間に充填し、この透明電極板間の印加電圧を制御することにより電界配列性粒子の配列を制御して透明電極板を透過する透過光量を制御し、光透過状態と光遮断状態とを形成して表示を行う表示装置が提案されている（例えば、特許文献４参照）。
【０００４】
ところで、液晶ディスプレイ（ＬＣＤ）やプラズマディスプレイ（ＰＤＰ）などの表示装置は、現状では、キラキラとした光沢感を表現することができないという問題がある。
【特許文献１】特開２００１−６３２８５号公報
【特許文献２】特開平５−１０８０１６号公報
【特許文献３】特開平１−３１６２９７号公報
【特許文献４】特開平９−２３０８０８号公報
【発明の開示】
【発明が解決しようとする課題】
【０００５】
しかしながら、特許文献１〜３に開示された技術は、金属光沢色を表示するための技術であるものの、液晶ディスプレイやプラズマディスプレイなどのように映像情報に基づいて映像を表示する表示装置のための技術でないため、上記問題を解決することができない。
また、特許文献４に開示された技術は、光沢色を表示するための技術でないため、上記問題を解決することができない。
【０００６】
本発明の課題は、映像情報に基づいて映像を表示する表示装置において、キラキラとした光沢感を表現することにある。
【課題を解決するための手段】
【０００７】
上記課題を解決するために、請求項１に記載の発明は、
バックライトと当該バックライトの前面側に配置される複数の表示ユニットとを有する映像表示部と、所定の映像情報に基づいて当該映像表示部を制御する映像表示制御手段と、を備える表示装置において、
金属光沢を持った所定の磁性粒子を内包する複数のセルがマトリックス状に配置され、前記各セルの内部に磁界を発生させることが可能な金属光沢表示部と、
前記金属光沢表示部の前記セルの内部における磁界の発生を制御する金属光沢表示制御手段と、
前記所定の映像情報と、当該所定の映像情報に対応し、磁界の発生制御を行うセルに関する金属光沢情報と、を記憶する記憶手段と、
を備え、
前記映像表示制御手段は、前記記憶手段に記憶された所定の映像情報に基づいて、前記映像表示部を制御し、
前記金属光沢表示部が、前記表示ユニットの前面側或いは後面側に配置されており、
前記セルは、電磁石を備え、
前記金属光沢表示制御手段は、前記映像表示制御手段による制御に同期して、前記記憶手段に記憶された金属光沢情報に基づいて、前記電磁石への通電のＯＮ／ＯＦＦを切り替える制御を行うことによって、前記金属光沢表示部の前記セルの内部における磁界の発生を制御することを特徴とする。
【０００８】
請求項２に記載の発明は、
発光する複数の表示ユニットを有する映像表示部と、所定の映像情報に基づいて当該映像表示部を制御する映像表示制御手段と、を備える表示装置において、
金属光沢を持った所定の磁性粒子を内包する複数のセルがマトリックス状に配置され、前記各セルの内部に磁界を発生させることが可能な金属光沢表示部と、
前記金属光沢表示部の前記セルの内部における磁界の発生を制御する金属光沢表示制御手段と、
前記所定の映像情報と、当該所定の映像情報に対応し、磁界の発生制御を行うセルに関する金属光沢情報と、を記憶する記憶手段と、
を備え、
前記映像表示制御手段は、前記記憶手段に記憶された所定の映像情報に基づいて、前記映像表示部を制御し、
前記金属光沢表示部が、前記表示ユニットの前面側に配置されており、
前記セルは、電磁石を備え、
前記金属光沢表示制御手段は、前記映像表示制御手段による制御に同期して、前記記憶手段に記憶された金属光沢情報に基づいて、前記電磁石への通電のＯＮ／ＯＦＦを切り替える制御を行うことによって、前記金属光沢表示部の前記セルの内部における磁界の発生を制御することを特徴とする。
【０００９】
請求項３に記載の発明は、
バックライトと当該バックライトの前面側に配置される複数の表示ユニットとを有する映像表示部と、所定の映像情報に基づいて当該映像表示部を制御する映像表示制御手段と、を備える表示装置において、
金属光沢を持った所定の磁性粒子を内包する複数のセルがマトリックス状に配置され、前記各セルの内部に磁界を発生させることが可能な金属光沢表示部と、
前記金属光沢表示部の前記セルの内部における磁界の発生を制御する金属光沢表示制御手段と、
を備え、
前記金属光沢表示部が、前記表示ユニットの前面側或いは後面側に配置されていることを特徴とする。
【００１０】
請求項４に記載の発明は、
発光する複数の表示ユニットを有する映像表示部と、所定の映像情報に基づいて当該映像表示部を制御する映像表示制御手段と、を備える表示装置において、
金属光沢を持った所定の磁性粒子を内包する複数のセルがマトリックス状に配置され、前記各セルの内部に磁界を発生させることが可能な金属光沢表示部と、
前記金属光沢表示部の前記セルの内部における磁界の発生を制御する金属光沢表示制御手段と、
を備え、
前記金属光沢表示部が、前記表示ユニットの前面側に配置されていることを特徴とする。
【００１１】
請求項５に記載の発明は、
請求項３又は４に記載の表示装置において、
前記所定の映像情報と、当該所定の映像情報に対応し、磁界の発生制御を行うセルに関する金属光沢情報と、を記憶する記憶手段を備え、
前記映像表示制御手段は、前記記憶手段に記憶された所定の映像情報に基づいて、前記映像表示部を制御し、
前記金属光沢表示制御手段は、前記映像表示制御手段による制御に同期して、前記記憶手段に記憶された金属光沢情報に基づいて、前記金属光沢表示部の前記セルの内部における磁界の発生を制御することを特徴とする。
【００１２】
請求項６に記載の発明は、
請求項３〜５の何れか一項に記載の表示装置において、
前記セルは、電磁石を備え、
前記金属光沢表示制御手段は、前記電磁石への通電のＯＮ／ＯＦＦを切り替える制御を行うことを特徴とする。
【発明の効果】
【００１３】
請求項１に記載の発明によれば、金属光沢を持った所定の磁性粒子を内包する複数のセルがマトリックス状に配置され、各セルの内部に磁界を発生させることが可能な金属光沢表示部と、金属光沢表示部のセルの内部における磁界の発生を制御する金属光沢表示制御手段と、を備え、金属光沢表示部が、表示ユニットの前面側或いは後面側に配置されている。
すなわち、バックライトと複数の表示ユニットとを有する液晶ディスプレイ等の表示装置において、金属光沢表示部のセルの内部における磁界の発生を制御することによって、当該セルの内部にて所定の磁性粒子を舞わすことができ、バックライトから発せられた光を磁性粒子に当てて反射させることができる。
したがって、映像情報に基づいて映像を表示する表示装置において、キラキラとした光沢感を表現することができる。
【００１４】
また、所定の映像情報と、当該所定の映像情報に対応し、磁界の発生制御を行うセルに関する金属光沢情報と、を記憶する記憶手段を備え、そして、映像表示制御手段は、記憶手段に記憶された所定の映像情報に基づいて、映像表示部を制御することができるとともに、金属光沢表示制御手段は、映像表示制御手段による制御に同期して、記憶手段に記憶された金属光沢情報に基づいて、金属光沢表示部のセルの内部における磁界の発生を制御することができる。
したがって、映像における適切な箇所をキラキラとした光沢感のある表示にすることができる。
【００１５】
また、セルは、電磁石を備え、金属光沢表示制御手段は、電磁石への通電のＯＮ／ＯＦＦを切り替えることによって所定の磁性粒子を舞わせるため、簡単な構成で、キラキラとした光沢感を表現することができる。
【００１６】
請求項２に記載の発明によれば、金属光沢を持った所定の磁性粒子を内包する複数のセルがマトリックス状に配置され、各セルの内部に磁界を発生させることが可能な金属光沢表示部と、金属光沢表示部のセルの内部における磁界の発生を制御する金属光沢表示制御手段と、を備え、金属光沢表示部が、表示ユニットの前面側に配置されている。
すなわち、発光する複数の表示ユニットを有するプラズマディスプレイ等の表示装置において、金属光沢表示部のセルの内部における磁界の発生を制御することによって、当該セルの内部にて所定の磁性粒子を舞わすことができ、表示ユニットから発せられた光を磁性粒子に当てて反射させることができる。
したがって、映像情報に基づいて映像を表示する表示装置において、キラキラとした光沢感を表現することができる。
【００１７】
また、所定の映像情報と、当該所定の映像情報に対応し、磁界の発生制御を行うセルに関する金属光沢情報と、を記憶する記憶手段を備え、そして、映像表示制御手段は、記憶手段に記憶された所定の映像情報に基づいて、映像表示部を制御することができるとともに、金属光沢表示制御手段は、映像表示制御手段による制御に同期して、記憶手段に記憶された金属光沢情報に基づいて、金属光沢表示部のセルの内部における磁界の発生を制御することができる。
したがって、映像における適切な箇所をキラキラとした光沢感のある表示にすることができる。
【００１８】
また、セルは、電磁石を備え、金属光沢表示制御手段は、電磁石への通電のＯＮ／ＯＦＦを切り替えることによって所定の磁性粒子を舞わせるため、簡単な構成で、キラキラとした光沢感を表現することができる。
【００１９】
請求項３に記載の発明によれば、金属光沢を持った所定の磁性粒子を内包する複数のセルがマトリックス状に配置され、各セルの内部に磁界を発生させることが可能な金属光沢表示部と、金属光沢表示部のセルの内部における磁界の発生を制御する金属光沢表示制御手段と、を備え、金属光沢表示部が、表示ユニットの前面側或いは後面側に配置されている。
すなわち、バックライトと複数の表示ユニットとを有する液晶ディスプレイ等の表示装置において、金属光沢表示部のセルの内部における磁界の発生を制御することによって、当該セルの内部にて所定の磁性粒子を舞わすことができ、バックライトから発せられた光を磁性粒子に当てて反射させることができる。
したがって、映像情報に基づいて映像を表示する表示装置において、キラキラとした光沢感を表現することができる。
【００２０】
請求項４に記載の発明によれば、金属光沢を持った所定の磁性粒子を内包する複数のセルがマトリックス状に配置され、各セルの内部に磁界を発生させることが可能な金属光沢表示部と、金属光沢表示部のセルの内部における磁界の発生を制御する金属光沢表示制御手段と、を備え、金属光沢表示部が、表示ユニットの前面側に配置されている。
すなわち、発光する複数の表示ユニットを有するプラズマディスプレイ等の表示装置において、金属光沢表示部のセルの内部における磁界の発生を制御することによって、当該セルの内部にて所定の磁性粒子を舞わすことができ、表示ユニットから発せられた光を磁性粒子に当てて反射させることができる。
したがって、映像情報に基づいて映像を表示する表示装置において、キラキラとした光沢感を表現することができる。
【００２１】
請求項５に記載の発明によれば、請求項３又は４に記載の発明と同様の効果が得られることは無論のこと、所定の映像情報と、当該所定の映像情報に対応し、磁界の発生制御を行うセルに関する金属光沢情報と、を記憶する記憶手段を備え、そして、映像表示制御手段は、記憶手段に記憶された所定の映像情報に基づいて、映像表示部を制御することができるとともに、金属光沢表示制御手段は、映像表示制御手段による制御に同期して、記憶手段に記憶された金属光沢情報に基づいて、金属光沢表示部のセルの内部における磁界の発生を制御することができる。
したがって、映像における適切な箇所をキラキラとした光沢感のある表示にすることができる。
【００２２】
請求項６に記載の発明によれば、請求項３〜５の何れか一項に記載の発明と同様の効果が得られることは無論のこと、セルは、電磁石を備え、金属光沢表示制御手段は、電磁石への通電のＯＮ／ＯＦＦを切り替えることによって所定の磁性粒子を舞わせるため、簡単な構成で、キラキラとした光沢感を表現することができる。
【発明を実施するための最良の形態】
【００２３】
以下、図を参照して、本発明にかかる表示装置の最良の形態を詳細に説明する。なお、発明の範囲は、図示例に限定されない。
【００２４】
[第１の実施の形態]
まず、第１の実施の形態における表示装置としての液晶ディスプレイ１（以下、「ＬＣＤ１」という）について説明する。
【００２５】
図１は、ＬＣＤ１の正面図であり、図２は、ＬＣＤ１の機能的構成を示すブロック図であり、図３及び図４は、ＬＣＤ１に備えられた映像表示部１２及び金属光沢表示部１４の側面断面図である。
以下の説明では、ＬＣＤ１の使用時に、ユーザが見る側（すなわち、映像表示部１２の表示画面側）を前側とし、前側に対向する側を後側とするとともに、ユーザから見て上になる側を上側とし、下になる側を下側とする。そして、前後方向及び上下方向の双方に直交する方向を左右方向とする。
【００２６】
ＬＣＤ１は、例えば、液晶を利用した映像表示部１２を備えた表示装置である。
具体的には、ＬＣＤ１は、例えば、映像表示部１２と、映像表示部１２のバックライト１２１（後述）の前面側に配置され且つ映像表示部１２の表示ユニットとしての表示画素１２２（後述）の後面側に配置された金属光沢表示部１４と、ＬＣＤ１の各部を制御するための制御部１６と、等を備えて構成される。
【００２７】
映像表示部１２は、例えば、バックライト１２１と、バックライト１２１の前面側に配置される複数の表示ユニットとしての表示画素１２２と、複数の表示画素１２２の前面側を保護するためのカバー１２３と、等を有し、制御部１６から入力される制御信号に従って、所与の表示処理を行う。
【００２８】
表示画素１２２は、例えば、液晶状態の物質を封入したセルと、当該セルの内部に電圧をかける電極と、等により構成されており、例えば、上下方向及び左右方向の双方に平行する平面上にマトリックス状に配置されている。
【００２９】
金属光沢表示部１４は、例えば、金属光沢を持った所定の磁性粒子１４１と、磁性粒子１４１を内包し、内部に磁界を発生させることが可能な複数のセル１４２と、等を有し、制御部１６から入力される制御信号に従って、セル１４２の内部に磁界を発生させる。
【００３０】
複数のセル１４２は、例えば、図３に示すように、それぞれ各表示画素１２２の後面側に配置されている。すなわち、複数のセル１４２は、例えば、マトリックス状に配置されている。
【００３１】
セル１４２は、内部に磁界を発生させるために、例えば、セル１４２の上面に電磁石１４２ａを備えている。
【００３２】
制御部１６は、例えば、図２に示すように、ＣＰＵ（Central Processing Unit）１６１と、ＲＡＭ（Random Access Memory）１６２と、記憶部１６３と、等などを備えている。
【００３３】
ＣＰＵ１６１は、例えば、記憶部１６３内に格納されたＬＣＤ１用の各種処理プログラムに従って各種の制御動作を行う。
【００３４】
ＲＡＭ１６２は、例えば、ＣＰＵ１６１によって実行される処理プログラムなどを展開するためのプログラム格納領域や、入力データや上記処理プログラムが実行される際に生じる処理結果などを格納するデータ格納領域などを備える。
【００３５】
記憶部１６３は、例えば、ＬＣＤ１で実行可能なシステムプログラム、当該システムプログラムで実行可能な各種処理プログラム、これら各種処理プログラムを実行する際に使用されるデータ、ＣＰＵ１６１によって演算処理された処理結果のデータなどを記憶する。なお、プログラムは、コンピュータが読み取り可能なプログラムコードの形で記憶部１６３内に記憶されている。
【００３６】
具体的には、記憶部１６３は、例えば、図２に示すように、映像情報−金属光沢情報１６３ａ１と、映像表示制御プログラム１６３ｂ１と、金属光沢表示制御プログラム１６３ｂ２と、等を記憶している。
【００３７】
映像情報−金属光沢情報１６３ａ１は、例えば、所定の映像情報と、所定の映像情報に対応し、磁界の発生制御を行うセル１４２に関する金属光沢情報である。記憶部１６３は、かかる映像情報−金属光沢情報１６３ａ１を記憶することにより記憶手段として機能する。
【００３８】
具体的には、所定の映像情報は、例えば、映像信号と、映像信号が入力される表示画素１２２の位置に関する画素位置情報と、等を含んでいる。
また、金属光沢情報は、例えば、磁界の発生制御を行うセル１４２の位置に関する情報である。
【００３９】
映像表示制御プログラム１６３ｂ１は、例えば、記憶部１６３に記憶された映像情報−金属光沢情報１６３ａ１の所定の映像情報に基づいて、映像表示部１２を制御する機能を、ＣＰＵ１６１に実現させる。
ＣＰＵ１６１は、かかる映像表示制御プログラム１６３ｂ１を実行することによって、映像表示制御手段として機能する。
【００４０】
金属光沢表示制御プログラム１６３ｂ２は、例えば、金属光沢表示部１４のセル１４２の内部における磁界の発生を制御する機能を、ＣＰＵ１６１に実現させる。
【００４１】
具体的には、ＣＰＵ１６１は、例えば、映像表示制御プログラム１６３ｂ１を実行したＣＰＵ１６１による制御に同期して、すなわち、記憶部１６３に記憶された映像情報−金属光沢情報１６３ａ１の映像情報と金属光沢情報との同期信号に従って、記憶部１６３に記憶された映像情報−金属光沢情報１６３ａ１の金属光沢情報に基づいて、電磁石１４２ａへの通電のＯＮ／ＯＦＦを切り替える制御を行う。
【００４２】
より具体的には、ＣＰＵ１６１は、例えば、金属光沢情報に基づいて磁界の発生制御を行うセル１４２の位置を特定する。例えば、ＣＰＵ１６１は、図４に示すセル１４２Ａを、磁界の発生制御を行うセル１４２であると特定したとする。
そして、ＣＰＵ１６１は、例えば、そのセル１４２Ａにおける電磁石１４２ａへの通電のＯＮ／ＯＦＦを切り替える制御を行う。
これにより、セル１４２Ａに内包された磁性粒子１４１が舞い、その舞った磁性粒子１４１がバックライト１２１によって照らされて、キラキラとした金属の光沢感を表現することができる。
ＣＰＵ１６１は、かかる金属光沢表示制御プログラム１６３ｂ２を実行することによって、金属光沢表示制御手段として機能する。
【００４３】
ここで、ＬＣＤ１の具体的な使用方法について説明する。
例えば、図１に示すように、ＬＣＤ１に宝石Ｄを表示させる場合、宝石Ｄの映像情報と、宝石Ｄが表示される領域をキラキラさせるための金属光沢情報と、を映像情報−金属光沢情報１６３ａ１として記憶部１６３に記憶させておけば、ＣＰＵ１１は、映像表示制御プログラム１６３ｂ１を実行して、宝石Ｄを映像表示部１２に表示させるとともに、金属光沢表示制御プログラム１６３ｂ２を実行して、映像表示部１２に表示された宝石Ｄにキラキラとした光沢感を持たせることができる。
【００４４】
以上説明した第１の実施の形態における表示装置としてのＬＣＤ１によれば、バックライト１２１とバックライト１２１の前面側に配置される複数の表示画素１２２とを有する映像表示部１２と、所定の映像情報に基づいて映像表示部１２を制御する映像表示制御プログラム１６３ｂ１を実行したＣＰＵ１６１と、金属光沢を持った所定の磁性粒子１４１を内包する複数のセル１４２がマトリックス状に配置され、各セル１４２の内部に磁界を発生させることが可能な金属光沢表示部１４と、金属光沢表示部１４のセル１４２の内部における磁界の発生を制御する金属光沢表示制御プログラム１６３ｂ２を実行したＣＰＵ１６１と、を備え、金属光沢表示部１４が、表示画素１２２の後面側に配置されている。
すなわち、バックライト１２１と複数の表示画素１２２とを有するＬＣＤ１等の表示装置において、金属光沢表示部１４のセル１４２の内部における磁界の発生を制御することによって、セル１４２の内部にて所定の磁性粒子１４１を舞わすことができ、バックライト１２１から発せられた光を磁性粒子１４１に当てて反射させることができる。
したがって、映像情報に基づいて映像を表示する表示装置において、キラキラとした光沢感を表現することができる。そのため、例えば、商品のコマーシャルに使用するようなＬＣＤ１等の表示装置に対しては、非常に効果が大きい。
【００４５】
また、所定の映像情報と、当該所定の映像情報に対応し、磁界の発生制御を行うセル１４２の位置に関する金属光沢情報と、である映像情報−金属光沢情報１６３ａ１を記憶する記憶部１６３を備え、そして、映像表示制御プログラム１６３ｂ１を実行したＣＰＵ１６１は、記憶部１６３に記憶された映像情報−金属光沢情報１６３ａ１の所定の映像情報に基づいて、映像表示部１２を制御することができるとともに、金属光沢表示制御プログラム１６３ｂ２を実行したＣＰＵ１６１は、映像表示制御プログラム１６３ｂ１を実行したＣＰＵ１６１による制御に同期して、記憶部１６３に記憶された映像情報−金属光沢情報１６３ａ１の金属光沢情報に基づいて、金属光沢表示部１４のセル１４２の内部における磁界の発生を制御することができる。
したがって、映像情報と、当該映像情報に対応し、磁界の発生制御を行うセル１４２に関する金属光沢情報と、が予め記憶されているため、表示する映像における適切な箇所をキラキラさせることができる。
【００４６】
また、セル１４２は、電磁石１４２ａを備え、金属光沢表示制御プログラム１６３ｂ２を実行したＣＰＵ１６１は、電磁石１４２ａへの通電のＯＮ／ＯＦＦを切り替える制御を行うことができる。
すなわち、電磁石１４２ａへの通電のＯＮ／ＯＦＦを切り替えることによって所定の磁性粒子１４１を舞わせるため、簡単な構成で、キラキラとした光沢感を表現することができる。
【００４７】
[第２の実施の形態]
次に、第２の実施の形態における表示装置としてのプラズマディスプレイ３（以下、「ＰＤＰ３」という）について説明する。
【００４８】
図５は、ＰＤＰ３の正面図であり、図６は、ＰＤＰ３の機能的構成を示すブロック図であり、図７、ＰＤＰ３に備えられた映像表示部３２及び金属光沢表示部１４の側面断面図である。
以下の説明では、ＰＤＰ３の使用時に、ユーザが見る側（すなわち、映像表示部３２の表示画面側）を前側とし、前側に対向する側を後側とするとともに、ユーザから見て上になる側を上側とし、下になる側を下側とする。そして、前後方向及び上下方向の双方に直交する方向を左右方向とする。
【００４９】
なお、第２の実施の形態の表示装置としてのＰＤＰ３は、映像表示部１２の構成と金属光沢表示部１４の配置場所が、第１の実施の形態の表示装置としてのＬＣＤ１と異なる。具体的には、ＬＣＤ１（図２）における映像表示部１２の構成の一部と、ＬＣＤ１（図３）における金属光沢表示部１４の配置場所と、が異なる。したがって、異なる箇所のみについて説明し、その他の共通する部分は同一符号を付して説明する。
【００５０】
ＰＤＰ３は、例えば、ガス放電を利用した映像表示部３２を備えた表示装置である。
具体的には、ＰＤＰ３は、例えば、映像表示部３２と、映像表示部３２の表示ユニットとしての表示画素３２２（後述）の前面側に配置された金属光沢表示部１４と、ＰＤＰ３の各部を制御するための制御部１６と、等を備えて構成される。
【００５１】
映像表示部３２は、例えば、発光する複数の表示ユニットとしての表示画素３２２と、複数の表示画素３２２の前面側を保護するためのカバー３２３と、等を有し、制御部１６から入力される制御信号に従って、所与の表示処理を行う。
【００５２】
表示画素３２２は、例えば、高圧の希ガスを封入したセルと、当該セルの内部に電圧をかける電極と、等により構成されており、例えば、上下方向及び左右方向の双方に平行する平面上にマトリックス状に配置されている。
【００５３】
複数のセル１４２は、例えば、図７に示すように、それぞれ各表示画素３２２の前面側に配置されている。
したがって、セル１４２に内包された磁性粒子１４１が舞った場合、その舞った磁性粒子１４１が表示画素３２２によって照らされて、キラキラとした金属の光沢感を表現することができる。
【００５４】
ここで、ＰＤＰ３の具体的な使用方法について説明する。
例えば、図５に示すように、ＰＤＰ３に宝石Ｄを表示させる場合、宝石Ｄの映像情報と、宝石Ｄが表示される領域をキラキラさせるための金属光沢情報と、を映像情報−金属光沢情報１６３ａ１として記憶部１６３に記憶させておけば、ＣＰＵ１１は、映像表示制御プログラム１６３ｂ１を実行して、宝石Ｄを映像表示部１２に表示させるとともに、金属光沢表示制御プログラム１６３ｂ２を実行して、映像表示部１２に表示された宝石Ｄにキラキラとした光沢感を持たせることができる。
【００５５】
以上説明した第２の実施の形態における表示装置としてのＰＤＰ３によれば、発光する複数の表示画素３２２を有する映像表示部３２を備え、金属光沢表示部１４が、表示画素３２２の前面側に配置されている。
すなわち、発光する複数の表示画素３２２とを有するＰＤＰ３等の表示装置において、金属光沢表示部１４のセル１４２の内部における磁界の発生を制御することによって、セル１４２の内部にて所定の磁性粒子１４１を舞わすことができ、表示画素３２２から発せられた光を磁性粒子１４２に当てて反射させることができる。
したがって、映像情報に基づいて映像を表示する表示装置において、キラキラとした金属の光沢感を表現することができる。そのため、例えば、商品のコマーシャルに使用するようなＰＤＰ３等の表示装置に対しては、非常に効果が大きい。
【００５６】
なお、本発明は、上記した実施の形態のものに限るものではなく、その要旨を逸脱しない範囲で適宜変更可能である。
【００５７】
第１の実施の形態における表示装置は、ＬＣＤ１の限りでなく、バックライト１２１とバックライト１２１の前面側に配置される複数の表示ユニットとを有する表示装置であれば任意である。
また、第２の実施の形態における表示装置は、ＰＤＰ３の限りでなく、発光する複数の表示ユニットを有する表示装置であれば任意である。
【００５８】
第１の実施の形態において、金属光沢表示部１４を、表示画素１２２の後面側に配置するようにしたが、この限りでなく、金属光沢表示部１４の所定の磁性粒子１４１をバックライト１２１によって照らすことができるのであれば、表示画素１２２の前面側に配置してもよい。
一方、第２の実施の形態においては、金属光沢表示部１４の所定の磁性粒子１４１は、表示画素３２２によって照らされるため、表示画素３２２の前面側にしか配置できない。
【００５９】
第１及び第２の実施の形態において、金属光沢表示部１４のセル１４２の上面に電極１４２ａを配置するようにしたが、この限りでなく、電極１４２ａは、セル１４２の下面に配置してもよいし、セル１４２の右面に配置してもよいし、セル１４２の左面に配置してもよい。
なお、電極１４２ａをセル１４２の下面に配置した場合は、ＣＰＵ１６１は、例えば、上下方向に隣り合う一方のセル１４２における電磁石１４２ａの通電と、他方のセル１４２における電磁石１４２ａの通電と、を切り替える制御を行うことによって、金属光沢表示部１４のセル１４２の内部における磁界の発生を制御する必要がある。
また、電極１４２ａをセル１４２の右面又は左面に配置した場合は、ＣＰＵ１６１は、例えば、左右方向に隣り合う一方のセル１４２における電磁石１４２ａの通電と、他方のセル１４２における電磁石１４２ａの通電と、を切り替える制御を行うことによって、金属光沢表示部１４のセル１４２の内部における磁界の発生を制御する必要がある。
【図面の簡単な説明】
【００６０】
【図１】第１の実施の形態における表示装置としての液晶ディスプレイを示す正面図である。
【図２】第１の実施の形態における表示装置としての液晶ディスプレイの機能的構成を示すブロック図である。
【図３】第１の実施の形態における表示装置としての液晶ディスプレイに備えられた映像表示部と金属光沢表示部を示す断面側面図である。
【図４】第１の実施の形態における表示装置としての液晶ディスプレイに備えられた金属光沢表示部の機能を説明するための図である。
【図５】第２の実施の形態における表示装置としてのプラズマディスプレイを示す正面図である。
【図６】第２の実施の形態における表示装置としてのプラズマディスプレイの機能的構成を示すブロック図である。
【図７】第２の実施の形態における表示装置としてのプラズマディスプレイに備えられた映像表示部と金属光沢表示部を示す断面側面図である。
【符号の説明】
【００６１】
１  ＬＣＤ（表示装置）
３  ＰＤＰ（表示装置）
１２  映像表示部
１４  金属光沢表示部
３２  映像表示部
１２１  バックライト
１２２  表示画素（表示ユニット）
１４１  所定の磁性粒子
１４２  セル
１４２ａ  電磁石
１６１  ＣＰＵ（映像表示制御手段、金属光沢表示制御手段）
１６３  記憶部（記憶手段）
１６３ｂ１  映像表示制御プログラム（映像表示制御手段）
１６３ｂ２  金属光沢表示制御プログラム（金属光沢表示制御手段）
３２２  表示画素（表示ユニット）
【図１】
2008111944.tif 000003
【図２】
2008111944.tif 000004
【図３】
2008111944.tif 000005
【図４】
2008111944.tif 000006
【図５】
2008111944.tif 000007
【図６】
2008111944.tif 000008
【図７】
2008111944.tif 000009